(57)【特許請求の範囲】
【請求項１】
任意の訪問者がアクセス可能な位置に設置される室外端末と、該室外端末を制御する制御装置とを含む決済システムであって、
前記室外端末は、
認証情報が入力される認証情報入力部と、
請求情報が入力される請求情報入力部とを備え、
前記制御装置は、
前記認証情報入力部で入力された認証情報に基づいて認証を行う認証部と、
前記認証部による認証が成功した場合に前記請求情報入力部で入力された請求情報に基づいて決済を行う決済部と
を備えることを特徴とする決済システム。 
【請求項２】
前記認証部は、顔認証または生体認証によって訪問者を認証することを特徴とする請求項１に記載の決済システム。 
【請求項３】
前記制御装置は、
許可条件情報を記憶する許可条件記憶部と、
前記許可条件記憶部に記憶された許可条件情報に基づいて決済の可否を確認する許可条件確認部とをさらに備え、
前記認証部による認証が成功した場合に、前記許可条件確認部により決済が可であると確認されたならば、前記請求情報入力部で入力された請求情報に基づいて決済を行う
ことを特徴とする請求項１または２に記載の決済システム。 
【請求項４】
前記制御装置は、
訪問予定情報を記憶する訪問予定記憶部と、
前記訪問予定記憶部に記憶された訪問予定情報に基づいて訪問が予告されたものであるか否かを確認する訪問予定確認部とをさらに備え、
前記認証部による認証が成功した場合に、前記訪問予定確認部により予告が確認された訪問であるならば、前記請求情報入力部で入力された請求情報に基づいて決済を行う
ことを特徴とする請求項１または２に記載の決済システム。 
【請求項５】
前記許可条件情報または前記訪問予定情報には、あらかじめ設定された訪問日時に関する情報が含まれることを特徴とする請求項３または４に記載の決済システム。 
【請求項６】
前記許可条件情報または前記訪問予定情報には、あらかじめ設定された請求額に関する情報が含まれることを特徴とする請求項３、４または５に記載の決済システム。
【請求項７】
前記許可条件情報または前記訪問予定情報には、訪問者を特定する情報が含まれることを特徴とする請求項３〜６のいずれか一つに記載の決済システム。
【請求項８】
任意の訪問者がアクセス可能な位置に設置される室外端末と、該室外端末を制御する制御装置とを含む決済システムによって実行される決済方法であって、
前記室外端末が、認証情報の入力を受け付ける認証情報入力工程と、
前記室外端末が、請求情報の入力を受け付ける請求情報入力工程と、
前記制御装置が、前記認証情報入力工程において入力された認証情報に基づいて認証を行う認証工程と、
前記制御装置が、前記認証工程における認証が成功した場合に前記請求情報入力工程において入力された請求情報に基づいて決済を行う決済工程と
を含むことを特徴とする決済方法。
【発明の詳細な説明】
【技術分野】
【０００１】
本発明は、決済システムおよび決済方法に関し、特に、訪問者に対面することなく決済を行うことができる決済システムおよび決済方法に関する。
【背景技術】
【０００２】
従来より、訪問者の正当性を確認する目的で、インターフォンが使用されている。また、特許文献１では、訪問者をカメラで撮影して得られた顔画像データ等を用いて、訪問者の正当性の認証精度を高める技術が開示されている。
【先行技術文献】
【特許文献】
【０００３】
【特許文献１】特開２００９−３８０５号公報
【発明の概要】
【発明が解決しようとする課題】
【０００４】
ところで、訪問者の訪問目的が、集金や代金引換の物品の配達等の決済を必要とするものである場合、従来は、その訪問者と対面して決済を実行するする必要があった。しかしながら、上記の従来技術等を用いて訪問者の正当性をある程度確認することができたとしても、その訪問者が初対面の者である場合等には、対面するのに不安がある。
【０００５】
また、訪問者と対面しなければ決済を行えないこととすると、訪問者が正当な者であっても、外出中や何らかの対面できない事情があるときに訪問が行われた場合、訪問者は、決済を受けることができず、別の機会に訪問し直さなければならない。
【０００６】
このような事情から、本発明は、訪問者に対面することなく決済を行うことができる決済システムおよび決済方法を提供することを目的とする。
【課題を解決するための手段】
【０００７】
上述した課題を解決し、目的を達成するために、本発明に係る決済システムは、任意の訪問者がアクセス可能な位置に設置される室外端末と、該室外端末を制御する制御装置とを含む決済システムであって、前記室外端末は、認証情報が入力される認証情報入力部と、請求情報が入力される請求情報入力部とを備え、前記制御装置は、前記認証情報入力部で入力された認証情報に基づいて認証を行う認証部と、前記認証部による認証が成功した場合に前記請求情報入力部で入力された請求情報に基づいて決済を行う決済部とを備えることを特徴とする。 
【０００８】
また、本発明に係る決済方法は、任意の訪問者がアクセス可能な位置に設置される室外端末と、該室外端末を制御する制御装置とを含む決済システムによって実行される決済方法であって、前記室外端末が、認証情報の入力を受け付ける認証情報入力工程と、前記室外端末が、請求情報の入力を受け付ける請求情報入力工程と、前記制御装置が、前記認証情報入力工程において入力された認証情報に基づいて認証を行う認証工程と、前記制御装置が、前記認証工程における認証が成功した場合に前記請求情報入力工程において入力された請求情報に基づいて決済を行う決済工程とを含むことを特徴とする。
【発明の効果】
【０００９】
本発明に係る決済システムおよび決済方法は、訪問者に対面することなく決済を行うことができるという効果を奏する。
【図面の簡単な説明】
【００１０】
【図１】図１は、実施例１に係る決済システムの構成を示す図である。
【図２】図２は、実施例１に係る決済システムの動作を示す図である。
【図３】図３は、実施例２に係る決済システムの構成を示す図である。
【図４】図４は、許可条件情報の一例を示す図である。
【図５】図５は、実施例２に係る決済システムの動作を示す図である。
【図６】図６は、実施例３に係る決済システムの構成を示す図である。
【図７】図７は、訪問予定情報の一例を示す図である。
【図８】図８は、実施例３に係る決済システムの動作を示す図である。
【図９】図９は、実施例４に係る決済システムの構成を示す図である。
【図１０】図１０は、実施例４に係る決済システムの動作を示す図である。
【図１１】図１１は、実施例５に係る決済システムの構成を示す図である。
【図１２】図１２は、実施例５に係る決済システムの動作を示す図である。
【図１３】図１３は、実施例６に係る決済システムの構成を示す図である。
【図１４】図１４は、実施例６に係る決済システムの動作を示す図である。
【発明を実施するための形態】
【００１１】
以下に、本発明に係る決済システムおよび決済方法の実施例を図面に基づいて詳細に説明する。なお、以下の説明では、本発明に係る決済システムが家庭において利用される例について説明するが、本発明に係る決済システムは、オフィスや工場のように訪問者に対して決済を行う必要がある可能性のある他の場所でも利用することができる。また、以下の説明では、既に説明した部分と同様の部分については、既に説明した部分と同一の符号を付して、重複する説明を省略する。
【実施例１】
【００１２】
まず、図１を参照しながら本実施例に係る決済システムの構成について説明する。図１に示すように、本実施例に係る決済システムは、玄関の外部のように任意の訪問者がアクセス可能な位置に設置される室外端末１１０と、家の内部に設置される制御装置１２０とを含む。
【００１３】
室外端末１１０は、訪問者を認証するための認証情報を取得する認証情報入力部１１１と、訪問者が請求情報を入力するための請求情報入力部１１２とを有する。制御装置１２０は、住人が指示や情報を入力するための入力部１２１と、住人に対して各種情報を表示するための表示部１２２と、決済システムを全体制御する制御部１２３とを有する。ここでいう請求情報には、少なくとも請求額が含まれる。
【００１４】
制御部１２３は、認証部１２３ａと、決済部１２３ｂとを有する。認証部１２３ａは、認証情報入力部１１１から入力された認証情報に基づいて訪問者の正当性を認証する。決済部１２３ｂは、認証部１２３ａによって訪問者の正当性が認証された場合に、請求情報入力部１１２から入力された請求情報に基づいて、決済を実行する。
【００１５】
認証部１２３ａにおける認証は、例えば、正当な訪問者と認めた人の顔画像を登録し、登録した顔画像と認証情報入力部１１１が撮影した訪問者の顔画像を用いて顔認証を行うことにより実現される。なお、認証部１２３ａにおける認証については、他の方式、例えば、上記の特許文献１で開示されている方式を利用することとしてもよい。また、認証情報入力部１１１が撮影した訪問者の顔画像を表示部１２２に表示して住人に提示し、認証を可とする旨の入力が入力部１２１からあった場合に、認証を成功させることとしてもよい。また、認証情報入力部１１１が撮影した訪問者の顔画像を予め登録されたメールアドレス宛に送信する等して住人が所持する携帯端末へ送信し、認証を可とする旨の応答が携帯端末からあった場合に、認証を成功させることとしてもよい。住人に訪問者の顔画像を提示する場合、請求情報入力部１１２から入力された請求情報の内容も提示することとしてもよい。
【００１６】
また、認証情報入力部１１１で入力されたＩＤとパスワードを、制御装置１２０内または制御装置１２０とネットワーク接続された管理装置内に登録されたＩＤとパスワードと照合して認証を成功させることとしてもよい。また、携帯端末やＩＣカード等の所持品からＩＤを読み取って認証することとしてもよい。また、ＩＤとパスワードの代わりに、指紋情報や虹彩情報等の生体情報を利用することとしてもよい。また、これらの方式を組み合わせて利用することとしてもよい。認証のための情報は、予め認証部１２３ａに登録しておくこととしてもよい。
【００１７】
決済部１２３ｂによる決済は、例えば、クレジット会社や銀行を経由して行うことができる。クレジット会社を経由して決済を行う場合、決済部１２３ｂは、請求情報入力部１１２から入力された請求情報に含まれる請求先へ請求情報に含まれる請求金額を支払うようにクレジット会社のサーバ装置へネットワーク経由で依頼する。依頼に必要なクレジット番号等の情報は、入力部１２１または図示しないカードリーダ経由で予め取得して制御装置１２０内に記憶させておいてもよいし、決済を実行するたびにカードリーダ等から取得してもよい。
【００１８】
銀行を経由して決済を行う場合、決済部１２３ｂは、請求情報入力部１１２から入力された請求情報に含まれる口座へ請求情報に含まれる請求金額を振り込むように銀行のサーバ装置へネットワーク経由で依頼する。振込の代わりにデビッドカードによる支払いの仕組みを利用することもできる。依頼に必要な振込み元の口座番号等の情報は、入力部１２１または図示しないカードリーダ経由で予め取得して制御装置１２０内に記憶させておいてもよいし、決済を実行するたびにカードリーダ等から取得してもよい。
【００１９】
また、玄関の外部のように任意の訪問者がアクセス可能な位置に固定的に設置される箱の内部に現金等を収容しておき、決済部１２３ｂが、その箱の鍵を遠隔操作で解錠して訪問者に内部の現金等を取得させることとしてもよい。
【００２０】
次に、図２を参照しながら、訪問者の訪問があった場合の本実施例に係る決済システムの動作について説明する。認証情報入力部１１１が認証情報の入力を受け付け（ステップＳ１０１）、請求情報入力部１１２が請求情報の入力を受け付ける（ステップＳ１０２）。認証部１２３ａが、入力された認証情報に基づいて認証を実行し（ステップＳ１０３）、認証が成功した場合は（ステップＳ１０４肯定）、決済部１２３ｂが、入力された請求情報に基づいて決済を実行する（ステップＳ１０５）。認証が失敗した場合は（ステップＳ１０４否定）、決済は実行されない。
【００２１】
上述してきたように、本実施例では、訪問者を遠隔で認証する手段と訪問者から請求された支払いを遠隔で決済する手段とを組み合わせて決済システムを構成したので、訪問者が請求する支払いを訪問者と対面することなく決済することができる。
【実施例２】
【００２２】
決済の安全性を高める例について説明する。まず、図３を参照しながら本実施例に係る決済システムの構成について説明する。図３に示すように、本実施例に係る決済システムは、玄関の外部のように任意の訪問者がアクセス可能な位置に設置される室外端末１１０と、家の内部に設置される制御装置２２０とを含む。
【００２３】
制御装置２２０は、住人が指示や情報を入力するための入力部１２１と、住人に対して各種情報を表示するための表示部１２２と、決済システムを全体制御する制御部２２３と、決済を許可するための条件が定義された許可条件情報を記憶する許可条件記憶部２２４とを有する。
【００２４】
制御部２２３は、認証部１２３ａと、許可条件確認部２２３ｂと、決済部２２３ｃとを有する。許可条件確認部２２３ｂは、許可条件記憶部２２４に記憶されている許可条件情報に基づいて決済の可否を確認する。決済部２２３ｃは、認証部１２３ａによって訪問者の正当性が認証され、かつ、許可条件確認部２２３ｂによって決済を行ってもよいことが確認された場合に、請求情報入力部１１２から入力された請求情報に基づいて、決済を実行する。なお、決済部２２３ｃによる決済の実現方式は、上述した決済部１２３ｂと同様である。
【００２５】
許可条件確認部２２３ｂによる決済の可否の確認についてさらに詳しく説明する。許可条件記憶部２２４に記憶される許可条件情報の一例を図４に示す。図４に示すように、許可条件情報は、日付、曜日、時間帯といった訪問者の訪問日時に関する条件と、上限額といった請求内容に関する条件とを含む。
【００２６】
図４に示す許可条件情報の１行目には、日付として「＊」が設定され、曜日として「Ｓｕｎ」が設定され、時間帯として「１０：００〜１５：００」が設定され、上限額として「￥５０００」が設定されている。これは、日付に関係なく、日曜日の１０時から１５時の間に訪問者があり、￥５０００以下の支払いの請求があった場合には決済を行ってよいことを表している。
【００２７】
図４に示す許可条件情報の２行目には、日付として「２４」が設定され、曜日として「＊」が設定され、時間帯として「１３：００〜１４：００」が設定され、上限額として「￥３０００」が設定されている。これは、曜日に関係なく、２４日の１３時から１４時の間に訪問者があり、￥３０００以下の支払いの請求があった場合には決済を行ってよいことを表している。
【００２８】
許可条件確認部２２３ｂは、許可条件情報の各行を参照して、現在日時が訪問日時に関する条件を満たし、かつ、請求情報入力部１１２から入力された請求情報の内容が請求内容に関する条件を満たす行が１つでもあれば、決済を行ってもよいと判断し、訪問日時に関する条件と請求内容に関する条件を満たす行が１つもなければ、決済を行ってはならないと判断する。
【００２９】
制御部２２３は、入力部１２１から入力される指示に従って、許可条件情報の追加、変更、削除を行う。本実施例に係る決済システムの管理者である住人等は、予め分かっている予定や訪問者の訪問パターンに基づいて、許可条件情報を更新する。例えば、住人は、配達日時を指定して商品を代金引換で注文した場合、指定した配達日時前後の時間帯を訪問日時に関する条件として設定し、商品の値段に手数料を加算した額を請求内容に関する条件として設定した行を許可条件情報に追加する。また、￥５０００の新聞代を集金する集金人が日曜日の昼間に訪問するというパターンが予め分かっている場合は、住人は、図４に示した許可条件情報の１行目のような情報を許可条件情報に追加する。
【００３０】
なお、図４に示した許可条件情報は、一例であり、例えば、訪問者を特定する情報のように他の条件を含んでいてもよい。また、決済を何度も繰り返して受ける不正行為を防止するため、許可条件確認部２２３ｂが許可条件情報のある行に基づいて決済を行ってもよいと判断した場合にその行を削除または無効化するようにしてもよい。
【００３１】
次に、図５を参照しながら、訪問者の訪問があった場合の本実施例に係る決済システムの動作について説明する。認証情報入力部１１１が認証情報の入力を受け付け（ステップＳ２０１）、請求情報入力部１１２が請求情報の入力を受け付ける（ステップＳ２０２）。認証部１２３ａが、入力された認証情報に基づいて認証を実行し（ステップＳ２０３）、認証が成功した場合は（ステップＳ２０４肯定）、許可条件確認部２２３ｂが許可条件記憶部２２４に記憶される許可条件情報の各行を参照して決済の可否を検証する（ステップＳ２０５）。
【００３２】
そして、全ての条件が充足される行があったならば（ステップＳ２０６肯定）、決済部２２３ｃが、入力された請求情報に基づいて決済を実行する（ステップＳ２０７）。認証が失敗した場合（ステップＳ２０４否定）、あるいは、全ての条件が充足される行がなかった場合（ステップＳ２０６否定）、決済は実行されない。
【００３３】
上述してきたように、本実施例では、決済システムの管理者が決済の日時や内容についての条件を定義できるように構成したので、決済システムの安全性を高めることができる。
【実施例３】
【００３４】
決済の安全性を高める他の例について説明する。まず、図６を参照しながら本実施例に係る決済システムの構成について説明する。図６に示すように、本実施例に係る決済システムは、玄関の外部のように任意の訪問者がアクセス可能な位置に設置される室外端末１１０と、家の内部に設置される制御装置３２０とを含み、インターネット等のネットワーク１０を介して訪問予定管理装置３１と接続される。
【００３５】
制御装置３２０は、住人が指示や情報を入力するための入力部１２１と、住人に対して各種情報を表示するための表示部１２２と、決済システムを全体制御する制御部３２３と、予め通知された訪問予定情報を記憶する訪問予定記憶部３２５とを有する。
【００３６】
制御部３２３は、認証部１２３ａと、訪問予定確認部３２３ｂと、決済部３２３ｃとを有する。訪問予定確認部３２３ｂは、訪問予定記憶部３２５に記憶されている訪問予定情報に基づいて現在の訪問が予告されたものであるかを確認する。決済部３２３ｃは、認証部１２３ａによって訪問者の正当性が認証され、かつ、訪問予定確認部３２３ｂによって現在の訪問が予告されたものであることが確認された場合に、請求情報入力部１１２から入力された請求情報に基づいて、決済を実行する。なお、決済部３２３ｃによる決済の実現方式は、上述した決済部１２３ｂと同様である。
【００３７】
訪問予定確認部３２３ｂによる予告の確認についてさらに詳しく説明する。訪問予定記憶部３２５に記憶される訪問予定情報の一例を図７に示す。図７に示すように、訪問予定情報は、取引ＩＤといった取引を特定する情報と、訪問予定者の顔画像データまたは訪問者の顔画像データから抽出した特徴量データや、訪問者ＩＤといった訪問予定者を特定する情報と、日付、時間帯といった訪問者の訪問日時を特定する情報と、請求額といった請求内容を特定する情報と、取引内容を示す情報とを含む。
【００３８】
図７に示す訪問予定情報の１行目には、取引ＩＤとして「ａａａ」が設定され、訪問者ＩＤとして「ｘｘｘ」が設定され、日付として「２月２４日」が設定され、時間帯として「１０：００〜１５：００」が設定され、請求額として「￥５０００」が設定され、内容として「ＡＢＣショップ」が設定されている。これは、「ａａａ」というＩＤで識別される取引のために、「ｘｘｘ」というＩＤで識別される訪問予定者が、２月２４日の１０時から１５時の間に訪問し、￥５０００の支払いを請求する予定であり、その取引は「ＡＢＣショップ」に関連するものであることを表している。
【００３９】
図７に示す許可条件情報の２行目には、取引ＩＤとして「ｂｂｂ」が設定され、訪問者ＩＤとして「ｙｙｙ」が設定され、日付として「２月２５日」が設定され、時間帯として「１３：００〜１４：００」が設定され、請求額として「￥３０００」が設定され、内容として「栄光靴店〜ハイヒール」が設定されている。これは、「ｂｂｂ」というＩＤで識別される取引のために、「ｙｙｙ」というＩＤで識別される訪問予定者が、２月２５日の１３時から１４時の間に訪問し、￥３０００の支払いを請求する予定であり、その取引は「栄光靴店」の「ハイヒール」に関連するものであることを表している。
【００４０】
これらの情報は、訪問予定者または訪問予定者が属する組織のオペレータ等によって訪問業者端末３２ａ〜３２ｎのいずれかを用いて入力され、ネットワーク１０を介して訪問予定管理装置３１に集積される。訪問予定管理装置３１に集積された段階の許可条件情報の各行には、訪問先を特定するための情報が含まれており、訪問予定管理装置３１は、それに基づいて許可条件情報の各行を訪問先の決済システムへ配信し、訪問予定記憶部３２５に記憶させる。
【００４１】
訪問予定確認部３２３ｂは、訪問予定情報の各行を参照して、訪問予定者を特定する情報（例えば、訪問予定者の顔画像と、訪問者ＩＤの両方または一方）が現在訪問中の訪問者を特定する情報（例えば、認証情報入力部１１１によって撮影された顔画像と、認証情報入力部１１１または請求情報入力部１１２によって取得された情報に含まれる訪問者ＩＤの両方または一方）と一致し、現在日時が訪問日時を特定する情報が示す期間内であり、かつ、請求情報入力部１１２から入力された請求情報の内容が請求内容と一致する行があれば、現在の訪問が予告されたものであると判断し、そのような行がなければ、現在の訪問が予告されたものではないと判断する。
【００４２】
なお、図７に示した訪問予定情報は、一例であり、他の情報を含んでいてもよい。例えば、決済システムの管理者である住人等が決済を承認したか否かを示す承認フラグを訪問予定情報の行毎に含めることとし、承認フラグが立っていなければ他の条件が満たされていても決済を認めないこととしてもよい。承認フラグの設定は、決済システムの管理者である住人等が制御装置３２０を操作することなどにより、訪問予定者の訪問前の任意のとき、または訪問予定者の訪問時に行われる。また、制御装置３２０を操作することにより、訪問予定の変更依頼をネットワークを介して訪問予定管理装置３１へ送信することもできる。
【００４３】
また、上記の説明では、訪問者ＩＤに基づいて現在の訪問が予告されたものであるか否かを判定することとしたが、取引ＩＤに基づいて現在の訪問が予告されたものであるか否かを判定することとしてもよい。また、決済を何度も繰り返して受ける不正行為を防止するため、訪問予定確認部３２３ｂが訪問予定情報のある行に基づいて現在の訪問が予告されたものであると判断した場合にその行を削除または無効化するようにしてもよい。
【００４４】
次に、図８を参照しながら、訪問者の訪問があった場合の本実施例に係る決済システムの動作について説明する。認証情報入力部１１１が認証情報の入力を受け付け（ステップＳ３０１）、請求情報入力部１１２が請求情報の入力を受け付ける（ステップＳ３０２）。認証部１２３ａが、入力された認証情報に基づいて認証を実行し（ステップＳ３０３）、認証が成功した場合は（ステップＳ３０４肯定）、訪問予定確認部３２３ｂが訪問予定記憶部３２５に記憶される訪問予定情報の各行を参照して現在の訪問が予告されたものであるかを検証する（ステップＳ３０５）。
【００４５】
そして、現在の訪問に該当する行があったならば（ステップＳ３０６肯定）、決済部３２３ｃが、入力された請求情報に基づいて決済を実行する（ステップＳ３０７）。認証が失敗した場合（ステップＳ３０４否定）、あるいは、現在の訪問に該当する行がなかった場合（ステップＳ３０６否定）、決済は実行されない。
【００４６】
上述してきたように、本実施例では、現在の訪問が予告されたものであるか否かを確認できるように構成したので、決済システムの安全性を高めることができる。なお、本実施例では、訪問予定管理装置３１が訪問予定情報を各決済システムに配信することとしたが、訪問があるたびに各決済システムが現在の訪問が予告されたものであるか否かを訪問予定管理装置３１に問い合わせるように構成してもよい。
【実施例４】
【００４７】
電子マネーによる決済の例について説明する。本例は、電子マネーがチャージされた室内のＩＣカードや携帯端末等と、訪問者がもつ決済用の携帯端末とを仲介して決済を行う例である。まず、図９を参照しながら本実施例に係る決済システムの構成について説明する。図９に示すように、本実施例に係る決済システムは、玄関の外部のように任意の訪問者がアクセス可能な位置に設置される室外端末４１０と、家の内部に設置される制御装置４２０とを含む。
【００４８】
室外端末４１０は、訪問者を認証するための認証情報を取得する認証情報入力部１１１と、訪問者が請求情報を入力するための請求情報入力部１１２と、訪問者が所持する携帯端末４１と通信可能なＲＦアンテナ４１３とを有する。
【００４９】
制御装置４２０は、住人が指示や情報を入力するための入力部１２１と、住人に対して各種情報を表示するための表示部１２２と、決済システムを全体制御する制御部４２３と、電子マネーによる決済に用いられるＩＣカード４３と通信可能なＲＦアンテナ４２６とを有する。なお、ＩＣカード４３によって決済される電子マネーは、プリペイド型であってもポストペイ型であってもよい。
【００５０】
制御部４２３は、認証部１２３ａと、決済部４２３ｂとを有する。決済部４２３ｂは、認証部１２３ａによって訪問者の正当性が認証された場合に、ＩＣカード４３から携帯端末４１への電子マネーの支払いを可能にする。具体的には、決済部４２３ｂは、ＲＦアンテナ４２６がＩＣカード４３から受信した信号が、ＲＦアンテナ４１３から携帯端末４１へ送信され、ＲＦアンテナ４１３が携帯端末４１から受信した信号が、ＲＦアンテナ４２６からＩＣカード４３へ送信されるようにＲＦアンテナ４１３とＲＦアンテナ４２６とを一時的に接続させることによって、電子マネーの支払いを可能にする。
【００５１】
このようにＲＦアンテナ４１３とＲＦアンテナ４２６とを一時的に接続させることにより、ＩＣカード４３が携帯端末４１に近接している場合と同様に、携帯端末４１はＩＣカード４３から決済に必要な情報を取得したり、電子マネーを集中管理する決済センタ４２と無線通信でやりとりして実行した決済の結果をＩＣカード４３へ通知したりすることが可能なる。なお、ＲＦアンテナ４１３とＲＦアンテナ４２６の接続の解除は、一定時間後に行うこととしてもよいし、決済部４２３ｂがＩＣカード４３と携帯端末４１のやりとりを監視して決済の完了を示す情報の送受信が行われた後に行うこととしてもよい。
【００５２】
なお、ＩＣカード４３は、住人がＲＦアンテナ４１３にかざすこととしてもよいし、ＲＦアンテナ４１３の近傍に設けられた孔に挿入する等していつでもＲＦアンテナ４１３と信号を送受信できる状態にしておくこととしてもよい。
【００５３】
次に、図１０を参照しながら、訪問者の訪問があった場合の本実施例に係る決済システムの動作について説明する。認証情報入力部１１１が認証情報の入力を受け付け（ステップＳ４０１）、請求情報入力部１１２が請求情報の入力を受け付ける（ステップＳ４０２）。認証部１２３ａが、入力された認証情報に基づいて認証を実行し（ステップＳ４０３）、認証が成功した場合は（ステップＳ４０４肯定）、決済部４２３ｂが、ＲＦアンテナ４１３とＲＦアンテナ４２６とを一時的に接続させて信号のやり取りを可能にする（ステップＳ４０５）。認証が失敗した場合は（ステップＳ４０４否定）、ＲＦアンテナ４１３とＲＦアンテナ４２６は接続されない。
【００５４】
上述してきたように、本実施例では、認証が成功した場合にＲＦアンテナ４１３とＲＦアンテナ４２６とを一時的に接続させることとしたので、訪問者と対面することなく電子マネーによる決済を行うことができる。なお、本実施例においては、室外端末４１０において請求情報入力部１１２とＲＦアンテナ４１３とを別個に設けることとしたが、決済部４２３ｂが請求情報入力部１１２の機能を兼ねて、ＲＦアンテナ４１３を介して携帯端末４１から請求情報を読み出すこととしてもよい。
【実施例５】
【００５５】
電子マネーによる決済の他の例について説明する。本例は、訪問者のもつ携帯端末に電子マネーをチャージする例である。まず、図１１を参照しながら本実施例に係る決済システムの構成について説明する。図１１に示すように、本実施例に係る決済システムは、玄関の外部のように任意の訪問者がアクセス可能な位置に設置される室外端末５１０と、家の内部に設置される制御装置５２０とを含み、インターネット等のネットワーク１０を介して、電子マネーを集中管理する決済センタ５２と接続される。
【００５６】
室外端末５１０は、訪問者を認証するための認証情報を取得する認証情報入力部１１１と、訪問者が請求情報を入力するための請求情報入力部１１２と、訪問者が所持する携帯端末５１と通信可能な通信部５１３とを有する。なお、携帯端末５１と通信部５１３との間の通信は、接触式のものであってもよいし、電波や赤外線等による非接触式のものであってもよい。
【００５７】
制御装置５２０は、住人が指示や情報を入力するための入力部１２１と、住人に対して各種情報を表示するための表示部１２２と、決済システムを全体制御する制御部５２３と、電子マネーを管理する電子マネー管理部５２７とを有する。
【００５８】
制御部５２３は、認証部１２３ａと、決済部５２３ｂとを有する。決済部５２３ｂは、認証部１２３ａによって訪問者の正当性が認証された場合に、請求情報入力部１１２から入力された請求情報に含まれる請求額に対応する額の電子マネーを通信部５１３を介して携帯端末５１へチャージ処理と、チャージされた電子マネーの清算を決済センタ５２へ要求する処理を電子マネー管理部５２７に実行させる。
【００５９】
次に、図１２を参照しながら、訪問者の訪問があった場合の本実施例に係る決済システムの動作について説明する。認証情報入力部１１１が認証情報の入力を受け付け（ステップＳ５０１）、請求情報入力部１１２が請求情報の入力を受け付ける（ステップＳ５０２）。認証部１２３ａが、入力された認証情報に基づいて認証を実行し（ステップＳ５０３）、認証が成功した場合は（ステップＳ５０４肯定）、決済部５２３ｂが、電子マネーを携帯端末５１へチャージする処理と、電子マネーの清算を決済センタ５２へ要求する処理を電子マネー管理部５２７に実行させる（ステップＳ５０５、ステップＳ５０６）。認証が失敗した場合は（ステップＳ５０４否定）、電子マネーのチャージ等は実行されない。
【００６０】
なお、本実施例においては、室外端末５１０において請求情報入力部１１２と通信部５１３とを別個に設けることとしたが、通信部５１３が請求情報入力部１１２の機能を兼ねて携帯端末５１から請求情報を読み出すこととしてもよい。
【実施例６】
【００６１】
デビッドカードやクレジットカードによる決済の例について説明する。まず、図１３を参照しながら本実施例に係る決済システムの構成について説明する。図１３に示すように、本実施例に係る決済システムは、玄関の外部のように任意の訪問者がアクセス可能な位置に設置される室外端末６１０と、家の内部に設置される制御装置６２０とを含む。
【００６２】
室外端末６１０は、訪問者を認証するための認証情報を取得する認証情報入力部１１１と、訪問者が請求情報を入力するための請求情報入力部１１２と、訪問者が所持する携帯端末６１と通信可能な通信部６１３とを有する。なお、携帯端末６１と通信部６１３との間の通信は、接触式のものであってもよいし、電波や赤外線等による非接触式のものであってもよい。
【００６３】
制御装置６２０は、住人が指示や情報を入力するための入力部１２１と、住人に対して各種情報を表示するための表示部１２２と、決済システムを全体制御する制御部６２３と、決済に用いられるデビッドカードやクレジットカードから情報を読み出すカードリーダ６２８とを有する。
【００６４】
制御部６２３は、認証部１２３ａと、決済部６２３ｂとを有する。決済部６２３ｂは、認証部１２３ａによって訪問者の正当性が認証された場合に、一時的に、携帯端末６１が通信部６１３を介して、入力部１２１と、表示部１２２と、カードリーダ６２８とを制御可能な状態にする。
【００６５】
入力部１２１と、表示部１２２と、カードリーダ６２８の制御が可能となることにより、携帯端末６１は、デビッドカードやクレジットカードによる決済用の端末として機能することが可能になる。すなわち、携帯端末６１は、指示メッセージを表示部１２２に表示したり、入力部１２１で入力された暗証番号を取得したり、カードリーダ６２８で読み取られたカード情報を取得したりすることが可能になる。そして、携帯端末６１は、取得した暗証番号やカード情報を請求情報とともに決済センタ６２へ無線通信で送信して、決済を依頼することができる。
【００６６】
なお、携帯端末６１が入力部１２１等を制御可能な状態にする代わりに、入力部１２１で入力された暗証番号や、カードリーダ６２８で読み取られたカード情報を予め決済システム内に記憶しておき、認証部１２３ａによって訪問者の正当性が認証された場合に、携帯端末６１からの要求に応じて、記憶している暗証番号やカード情報を通信部６１３経由で応答することとしてもよい。
【００６７】
次に、図１４を参照しながら、訪問者の訪問があった場合の本実施例に係る決済システムの動作について説明する。認証情報入力部１１１が認証情報の入力を受け付け（ステップＳ６０１）、請求情報入力部１１２が請求情報の入力を受け付ける（ステップＳ６０２）。認証部１２３ａが、入力された認証情報に基づいて認証を実行し（ステップＳ６０３）、認証が成功した場合は（ステップＳ６０４肯定）、決済部６２３ｂが、決済システムを、携帯端末６１へ暗証番号やカード情報が送信される状態にする（ステップＳ６０５）。認証が失敗した場合は（ステップＳ６０４否定）、そのような状態にはされない。
【００６８】
なお、本実施例においては、室外端末６１０において請求情報入力部１１２と通信部６１３とを別個に設けることとしたが、通信部６１３が請求情報入力部１１２の機能を兼ねて携帯端末６１から請求情報を読み出すこととしてもよい。
【００６９】
上述した各実施例で示した決済システムの構成は、要旨を逸脱しない範囲で種々に変更することができる。また、各実施例で示した決済システムの構成を任意に組み合わせることもできる。決済に荷物が伴う場合は、郵便ポストや宅配ＢＯＸを用いて、あるいは、所定の場所に置いて帰るなどして荷物の受け渡しを行うこともできる。荷物の受け渡しに捺印が必要な場合は、例えば、特開平７−２４２２９７や特開平１０−０９９１８４に記載されるような捺印装置を室外端末とともに設置し、決済の許可と同様に捺印を許可するとよい。
【符号の説明】
【００７０】
１０  ネットワーク
３１  訪問予定管理装置
３２ａ〜３２ｎ  訪問業者端末
４１、５１、６１  携帯端末
４２、５２、６２  決済センタ
４３  ＩＣカード
１１０、４１０、５１０、６１０  室外端末
１１１  認証情報入力部
１１２  請求情報入力部
１２０、２２０、３２０、４２０、５２０、６２０  制御装置
１２１  入力部
１２２  表示部
１２３、２２３、３２３、４２３、５２３、６２３  制御部
１２３ａ  認証部
１２３ｂ、２２３ｃ、３２３ｃ、４２３ｂ、５２３ｂ、６２３ｂ  決済部
２２３ｂ  許可条件確認部
２２４  許可条件記憶部
３２３ｂ  訪問予定確認部
３２５  訪問予定記憶部
４１３、４２６  ＲＦアンテナ
５１３、６１３  通信部
５２７  電子マネー管理部
６２８  カードリーダ
【図１】
0005586287.tif 000002
【図２】
0005586287.tif 000003
【図３】
0005586287.tif 000004
【図４】
0005586287.tif 000005
【図５】
0005586287.tif 000006
【図６】
0005586287.tif 000007
【図７】
0005586287.tif 000008
【図８】
0005586287.tif 000009
【図９】
0005586287.tif 000010
【図１０】
0005586287.tif 000011
【図１１】
0005586287.tif 000012
【図１２】
0005586287.tif 000013
【図１３】
0005586287.tif 000014
【図１４】
0005586287.tif 000015